(57)【要約】【課題】鍋を着脱自在に支持する本体上面部材の前方部に操作部を配設した炊飯器において、操作パネル部から水が炊飯器本体内に侵入しないようにするとともに、保温中における炊飯器本体内部の熱量を外部へ逃がさないようにして鍋の温度を均一に保ち、露の発生を抑え保温性能を向上し、さらに、余分な加熱をしないようにして消費電力を抑える。【解決手段】炊飯器本体１に設けた本体上面部材３により鍋５を着脱自在に支持し、本体上面部材３の前方部に操作部を構成するフィルム部材１３と樹脂部材１４を一体成形した操作パネル９を配設する。本体上面部材３と操作パネル９とを一体成形し、本体上面部材３と操作パネル９の外周部に隙間がないようにする。【選択図】図１
2005143537.tif 000002
【特許請求の範囲】
【請求項１】
炊飯器本体に設け鍋を着脱自在に支持する本体上面部材と、前記本体上面部材の前方部に配設し操作部を構成するフィルム部材と樹脂部材を一体成形した操作パネルとを備え、前記本体上面部材と操作パネルとを一体成形し、前記本体上面部材と操作パネルの外周部に隙間がないようにした炊飯器。
【請求項２】
本体上面部材と操作パネルを構成する樹脂部材を同一材料とした請求項１記載の炊飯器。
【請求項３】
鍋を着脱自在に支持する炊飯器本体の本体上面部材と、前記本体上面部材の前方部に配設し操作部を構成するフィルム部材とを備え、前記本体上面部材とフィルム部材を一体成形し、前記フィルム部材の外周部に隙間がないようにした炊飯器。
【請求項４】
フィルム部材の外周部の端部に折り曲げ部を設けた請求項３記載の炊飯器。
【請求項５】
本体上面部材とフィルム部材を同一材料とした請求項３記載の炊飯器。
【発明の詳細な説明】
【技術分野】
【０００１】
本発明は、鍋を着脱自在に支持する本体上面部材の前方部に操作部を配設した炊飯器に関するものである。
【背景技術】
【０００２】
従来、この種の炊飯器は図５に示すように構成していた。以下、その構成について説明する。
【０００３】
図５に示すように、炊飯器本体３１は、本体上面部材３２と有底側面部材３３とで構成し、有底側面部材３３の内部には鍋収納部３４を配設し、本体上面部材３２と鍋収納部３４とはねじ等で機械的に固定している。また、鍋収納部３４には、鍋３５を着脱自在に収納している。
【０００４】
制御手段３６は炊飯器を制御するもので、制御手段３６の上部の本体上面部材３２には、制御手段３６を操作するための開口部３７を設け、その開口部３７を覆うように操作パネル３８を両面接着テープ３９によって取り付けている。また、操作パネル３８は、本体上面部材３２に対し傾斜して配設し、本体上面部材３２と操作パネル３８の嵌合部の外周に溝を傾斜して配設している。ここで、操作パネル３８を操作することにより、炊飯、保温が行われる（例えば、特許文献１参照）。
【特許文献１】特開平８−１０１４７号公報
【発明の開示】
【発明が解決しようとする課題】
【０００５】
しかしながら、このような従来の構成の炊飯器では、操作パネル３８の両面接着テープ３９での接着が不十分であり、本体上面部材３２と操作パネル３９との間に隙間が生じた場合、もし操作パネルに３８上に水がかかると、操作パネル３９と本体上面部材３２との隙間から侵入した水は、本体上面部材３２の開口部３７から炊飯器本体３１の内部に入ってしまう問題があった。
【０００６】
また、操作パネル３８上にかかる水の量が多い場合には、本体上面部材３２と操作パネル３８の嵌合部の外周に溝から水が溢れ、炊飯器本体３１の内部に水が浸入する可能性があった。
【０００７】
また、本体上面部材３２と操作パネル３８の嵌合部には隙間が設けてあるため、保温中において、炊飯器本体３１の内部の熱量を外部へ逃がしてしまうため、保温中における鍋３５の温度が不均一になり、保温中の露の発生の原因となり、保温性能を悪化させる原因となっていた。また、その露を飛ばすために、余分な加熱を行なわないといけないため、余分な電力量を消費していた。
【０００８】
本発明は上記従来の課題を解決するもので、操作パネル部から水が炊飯器本体内に侵入しないようにするとともに、保温中における炊飯器本体内部の熱量を外部へ逃がさないようにして鍋の温度を均一に保ち、露の発生を抑え保温性能を向上し、さらに、余分な加熱をしないようにして消費電力を抑えることを目的としている。
【課題を解決するための手段】
【０００９】
本発明は上記目的を達成するために、炊飯器本体に設けた本体上面部材により鍋を着脱自在に支持し、本体上面部材の前方部に操作部を構成するフィルム部材と樹脂部材を一体成形した操作パネルを配設し、本体上面部材と操作パネルとを一体成形し、本体上面部材と操作パネルの外周部に隙間がないようにしたものである。
【００１０】
これにより、操作パネル部から水が炊飯器本体内に侵入しないようにできるとともに、本体上面部材と操作パネルの外周部の隙間をなくすことで、保温中における炊飯器本体内部の熱量を外部へ逃がさないようにできて、鍋の温度を均一に保つことができ、露の発生を抑え保温性能を向上することができ、さらに、余分な加熱をしないため、消費電力を抑えることができる。
【発明の効果】
【００１１】
本発明の炊飯器は、操作パネル部から水が炊飯器本体内に侵入しないようにできるとともに、保温中における炊飯器本体内部の熱量を外部へ逃がさないようにできて、鍋の温度を均一に保つことができ、露の発生を抑え保温性能を向上することができ、また、余分な加熱をしないため、消費電力を抑えることができる。
【発明を実施するための最良の形態】
【００１２】
第１の発明は、炊飯器本体に設け鍋を着脱自在に支持する本体上面部材と、前記本体上面部材の前方部に配設し操作部を構成するフィルム部材と樹脂部材を一体成形した操作パネルとを備え、前記本体上面部材と操作パネルとを一体成形し、前記本体上面部材と操作パネルの外周部に隙間がないようにしたものであり、操作パネル上に水がかかっても、操作パネルと本体上面部材の外周部に隙間がないため、両面テープやシール材がない構成でも、水は炊飯器本体の内部へ侵入することなく、安全性を確保することができ、また、保温中において、炊飯器本体内部の熱量を外部へ放出することがないようにできて、保温中における鍋の温度を均一にたもつことができ、保温中の露の発生を抑え保温性能を向上することができる。また、露の発生がないため、余分な加熱をすることがなく、保温中における余分な電力を消費を抑えることができる。
【００１３】
第２の発明は、上記第１の発明において、本体上面部材と操作パネルを構成する樹脂部材を同一材料としたものであり、炊飯・保温の繰り返しで、炊飯器本体の本体上面部材が熱収縮をしたとしても、本体上面部材と操作パネルが同一線膨張係数であるので、変形寸法が同一になり、本体上面部材と操作パネルの樹脂部材の一体成形した部分に応力集中が発生しにくく、未然に本体上面部材の割れ、クラックを防止することができる。
【００１４】
第３の発明は、鍋を着脱自在に支持する炊飯器本体の本体上面部材と、前記本体上面部材の前方部に配設し操作部を構成するフィルム部材とを備え、前記本体上面部材とフィルム部材を一体成形し、前記フィルム部材の外周部に隙間がないようにしたものであり、フィルム部材上に水がかかっても、フィルム部材と本体上面部材の外周部に隙間がないため、水は炊飯器本体内部へ侵入することなく、安全性を確保することができ、また、保温中において、炊飯器本体内部の熱量を外部へ放出することがないため、保温中における鍋の温度が均一になり、保温中の露の発生を抑えることができる。また、露の発生がないため、保温中における余分な電力を消費を抑えることができる。また、操作部をフィルム部材のみで構成しているので、炊飯・保温中の繰り返しにおいて、本体上面部材が収縮したとしても、本体上面部材とフィルム部材の一体成形部に応力集中が発生せず、未然に本体上面部材の割れ、クラック等を防止することができる。
【００１５】
第４の発明は、上記第３の発明において、フィルム部材の外周部の端部に折り曲げ部を設けたものであり、炊飯・保温の繰り返しで、炊飯器本体の本体上面部材が熱収縮をしたとしても、フィルム部材の折り曲げ部が本体上面部材と一体成形されているため、フィルム部材が本体上面部材から浮きでるのを防止することができる。
【００１６】
第５の発明は、上記第３の発明において、本体上面部材とフィルム部材を同一材料としたものであり、２つの部材の線膨張係数が同じであるため、炊飯・保温中における熱収縮は同じ変化をするため、本体上面部材の樹脂部に応力集中が発生しないため、クラックや亀裂を未然に防止することができる。
【００１７】
以下、本発明の実施の形態について、図面を参照しながら説明する。なお、この実施の形態によって本発明が限定されるものではない。
【００１８】
（実施の形態１）
図１および図２に示すように、炊飯器本体１は、有底筒形状の鍋収納部２を有しており、炊飯器本体１の本体上面部材３と鍋収納部２はねじ等により機械的に固定している。炊飯器本体１の本体上面部材３の外周は、有底側面部材４に支持されている。また、鍋５は炊飯器本体１の鍋収納部２に上方より着脱自在に収納している。
【００１９】
外蓋６は、鍋５の上方に開閉自在に配設し、炊飯器本体１の本体上面部材３の上方に位置している。また、本体上面部材３には、外蓋６を軸支するための後方ヒンジ立ち上がり壁７を配設している。
【００２０】
制御手段８は、鍋収納部２の下部に配設し鍋５を電磁誘導加熱する加熱コイル１２を制御するもので、本体上面部材３の前面上部の傾斜部に傾斜して配設されており、制御手段８の上部には、炊飯器の操作部を構成するフィルム部材１３と樹脂部材１４とを一体成形した操作パネル９を配設している。
【００２１】
操作パネル９の外周部は、本体上面部材３の巻き込み部１０により一体成形され、操作パネル９と本体上面部材９とが一つの部品となり構成されている。また、本体上面部材３と操作パネル９との合わせ部１１には隙間はない構成としている。
【００２２】
上記構成において動作、作用について説明する。鍋５は、加熱コイル１２により電磁誘導加熱され、鍋５の温度を上昇して鍋５内の米を炊飯・保温する。ここで、加熱コイル１２に供給される電流は、操作パネル９を介して制御手段８により制御されて通電される。
【００２３】
ここで、本体上面部材３と操作パネル９との合わせ部１１には隙間がないため、両面テープやシール材がない構成でも、操作パネル９の上に多量の水がかかったとしても、水は炊飯器本体１の内部に侵入することがなく、制御手段８等の充電部に水が付着することがないため、安全性を確保することができる。
【００２４】
また、保温における炊飯器本体１内部の熱量は、本体上面部材３と操作パネル９との合わせ部１１に隙間がないため、外部へ放出することがなく、保温中の鍋５の温度を均一に保つことができる。このことで、保温中に発生する鍋５に付着する露の発生を抑えることができ、保温におけるご飯のべちゃつき等をなくし、保温性能を向上することができる。また、保温における鍋５に付着する露の発生を抑えることができるため、発生した露を飛ばすための加熱をする必要がなく、保温における消費電力を削減することができる。
【００２５】
また、本体上面部材３と、フィルム部材１３と樹脂部材１４を一体成形した操作パネル９の樹脂部材１４とを同一材料で構成した場合、炊飯・保温の繰り返しで、本体上面部材３と樹脂部材１４が熱収縮し変形したとしても、２つの部品の材質の線膨張係数が同一であり、変形寸法も同一近くになり、本体上面部材３の操作パネル９を一体成形するための巻き込み部１０に応力集中が発生せず、使用経年変化における割れやクラックを防止することができる。
【００２６】
以上のように、本実施の形態においては、本体上面部材３の前方部に操作部を構成するフィルム部材１３と樹脂部材１４を一体成形した操作パネル９を配設し、本体上面部材３と操作パネル９とを一体成形し、本体上面部材３と操作パネル９の外周部に隙間がないようにしたので、操作パネル９上に水がかかっても、水は炊飯器本体１の内部へ侵入することなく、安全性を確保することができ、また、保温中において、炊飯器本体１内部の熱量を外部へ放出することがないようにできて、保温中における鍋の温度を均一にたもつことができ、保温中の露の発生を抑え保温性能を向上することができる。また、露の発生がないため、余分な加熱をすることがなく、保温中における余分な電力を消費を抑えることができる。
【００２７】
また、本体上面部材３と操作パネル９を構成する樹脂部材１４を同一材料としたので、炊飯・保温の繰り返しで、本体上面部材３が熱収縮をしたとしても、本体上面部材３と操作パネル９を構成する樹脂部材１４が同一線膨張係数であるので、変形寸法が同一になり、本体上面部材３と操作パネル９の樹脂部材１４の一体成形した部分に応力集中が発生しにくく、未然に本体上面部材３の割れ、クラックを防止することができる。
【００２８】
（実施の形態２）
図３および図４に示すように、制御手段８は、鍋５を電磁誘導加熱する加熱コイル１２を制御するもので、本体上面部材３の前面上部の傾斜部に配設しており、この制御手段８の上方に、本体上面部材３の前面傾斜部２１を設け、前面傾斜部２１には、制御手段８を制御する操作穴２２を配設している。
【００２９】
また、前面傾斜部２１の表面部に、炊飯器の操作部を構成するフィルム部材２３を配設し、このフィルム部材２３の裏面に接着層２４を設けるとともに、フィルム部材２３の外周に折り曲げ部２５を設けている。ここで、フィルム部材２３の外周の折り曲げ部２５は、本体上面部材３の前面傾斜部２１の巻き込み部２６により一体成形されている。また、本体上面部材３とフィルム部材２３を一体成形した構成にすることで、フィルム部材２３の裏面に設けている接着層２４と前面傾斜部２１の樹脂部とは接着される。このような構成とすることにより、本体上面部材３の前面傾斜部２１とフィルム部材２３の外周部には隙間がない構成にすることができる。他の構成は上記実施の形態１と同じであり、同一符号を付して説明を省略する。
【００３０】
上記構成において作用について説明する。本体上面部材３の前面傾斜部２１とフィルム部材２３の外周部には隙間がないため、フィルム部材２３の上に多量の水がかかったとしても、水は炊飯器本体１の内部に水が侵入することがなく、制御手段８等の充電部に水が付着することがないため、安全性を確保することができる。
【００３１】
また、保温における炊飯器本体１内部の熱量は、本体上面部材３の前面傾斜部２１とフィルム部材２３の外周部には隙間がないため、外部へ放出することがなく、保温中の鍋５の温度は均一に保つことができる。このことで、保温中に発生する鍋５に付着する露の発生を抑えることができ、保温におけるご飯のべちゃつき等をなくし、保温性能を向上することができる。また、保温における鍋５に付着する露の発生を抑えることができるため、発生した露を飛ばすための加熱をする必要がないため、保温における消費電力を削減することができる。
【００３２】
また、フィルム部材２３の外周には折り曲げ部２５を設けることで、炊飯・保温の繰り返しにより、本体上面部材３の前面傾斜部２１とフィルム部材２３が熱収縮し変形したとしても、折り曲げ部２５によりフィルム部材２３が、前面傾斜部２１から浮きでるのを防止することができる。また、フィルム部材２３の裏面に接着層２４を設けることで、熱収縮時において、フィルム部材２３が前面傾斜部２１から浮きでるのを防止することができる。
【００３３】
また、本体上面部材３とフィルム部材２３とを同一材料で構成した場合、炊飯・保温の繰り返しで、本体上面部材３とフィルム部材２３が熱収縮し変形したとしても、２つの部品の材質の線膨張係数が同一であれば、変形寸法も同一近くになり、本体上面部材３のフィルム部材２３とを一体成形するための前面傾斜部２１の巻き込み部２６に応力集中が発生せず、使用経年変化における割れやクラックを防止することができる。
【００３４】
以上のように、本実施の形態においては、本体上面部材３の前方部に操作部を構成するフィルム部材２３を配設し、本体上面部材３とフィルム部材２３を一体成形し、フィルム部材２３の外周部に隙間がないようにしたので、フィルム部材２３上に水がかかっても、フィルム部材２３と本体上面部材３の外周部に隙間がないため、水は炊飯器本体１内部へ侵入することなく、安全性を確保することができ、また、保温中において、炊飯器本体１内部の熱量を外部へ放出することがないため、保温中における鍋５の温度が均一になり、保温中の露の発生を抑えることができる。また、露の発生がないため、保温中における余分な電力を消費を抑えることができる。また、操作部をフィルム部材２３のみで構成しているので、炊飯・保温中の繰り返しにおいて、本体上面部材３が収縮したとしても、本体上面部材３とフィルム部材２３の一体成形部に応力集中が発生せず、未然に本体上面部材３の割れ、クラック等を防止することができる。
【００３５】
また、フィルム部材２３の外周部の端部に折り曲げ部２５を設けたので、炊飯・保温の繰り返しで、炊飯器本体１の本体上面部材３が熱収縮をしたとしても、フィルム部材２３が本体上面部材３から浮きでるのを防止することができる。
【００３６】
また、本体上面部材３とフィルム部材２３を同一材料としたので、２つの部材の線膨張係数が同じであるため、炊飯・保温中における熱収縮は同じ変化をするため、本体上面部材３の樹脂部に応力集中が発生しないため、クラックや亀裂を未然に防止することができる。
【産業上の利用可能性】
【００３７】
以上のように、本発明にかかる炊飯器は、操作パネル部から水が炊飯器本体内に侵入しないようにできるとともに、保温中における炊飯器本体内部の熱量を外部へ逃がさないようにできて、鍋の温度を均一に保つことができ、露の発生を抑え保温性能を向上することができ、また、余分な加熱をしないため、消費電力を抑えることができるので、鍋を着脱自在に支持する本体上面部材の前方部に操作部を配設した炊飯器として有用である。
【図面の簡単な説明】
【００３８】
【図１】本発明の実施の形態１における炊飯器の縦断面図
【図２】同炊飯器の要部拡大断面図
【図３】本発明の実施の形態２における炊飯器の縦断面図
【図４】同炊飯器の要部拡大断面図
【図５】従来の炊飯器の縦断面図
【符号の説明】
【００３９】
１  炊飯器本体
３  本体上面部材
５  鍋
９  操作パネル
１３  フィルム部材
１４  樹脂部材
【図１】
2005143537.tif 000003
【図２】
2005143537.tif 000004
【図３】
2005143537.tif 000005
【図４】
2005143537.tif 000006
【図５】
2005143537.tif 000007